(57)【要約】【課題】ドアを確実に制止できる、ドアに取り付けるドアストッパーを提供する。【解決手段】ドア50の下端近傍に取り付けられるドアストッパー1Aであって、ドア50の面に沿って固定されるベース板21と、ベース板21の下端からドアの閉まる方向である前方斜め上方に延在する下向きの平坦面である傾斜面24Aと、左右方向に延在する中心軸上に中心軸部材12を具備しかつ前記傾斜面24Aに当接して移動可能なローラー11と、傾斜面24Aの上端が前記ローラー11の初期位置となるように中心軸部材12を略上方に弾性的に付勢するための弾性部材15Aと、を備え、使用時には、ローラー11を弾性部材15Aの弾性力に抗して傾斜面24Aに沿って下方に移動させ床面60に当接させると、ドア50の閉まろうとする力によりローラー11が傾斜面24Aと床面60との間で圧縮力を受ける。【選択図】図１
0003194940.tif 000002
【実用新案登録請求の範囲】
【請求項１】
ドア（50）の下端近傍に取り付けられるドアストッパー（1A）であって、
ドア（50）の面に沿って固定されるベース板（21）と、
前記ベース板（21）の下端からドアの閉まる方向である前方斜め上方に延在する下向きの平坦面である傾斜面（24A）と、
左右方向に延在する中心軸上に中心軸部材（12）を具備しかつ前記傾斜面（24A）に当接して移動可能なローラー（11）と、
前記傾斜面（24A）の上端が前記ローラー(11)の初期位置となるように前記中心軸部材（12）を略上方に弾性的に付勢するための弾性部材（15A）と、を備え、
使用時には、前記ローラー（11）を前記弾性部材（15A）の弾性力に抗して前記傾斜面（24A）に沿って下方に移動させ床面（60）に当接させると、ドア（50）の閉まろうとする力により前記ローラー（11）が前記傾斜面（24A）と前記床面（60）との間で圧縮力を受けることを特徴とする
ドアストッパー。
【請求項２】
ドア（50）の下端近傍に取り付けられるドアストッパー（1B）であって、
ドア（50）の面に沿って固定されるベース板（21）と、
左右方向に延在する中心軸上に中心軸部材（12）を具備するローラー（11）と、
前記ベース板（21）上に固定されかつ左右方向に延在する回動軸部材（14A）と、
前記回動軸部材（14A）と前記ローラー（11）の前記中心軸部材（12）とを連結しかつ該回動軸部材（14A）を中心として回動可能なリンク部材（13）と、
前記回動軸部材（14A）を中心として上方に回動した最上位置が前記ローラー（11）の初期位置となるように前記リンク部材（13）を上方に回動する方向に弾性的に付勢する弾性部材（15B）と、
前記ベース板（21）の下端からドアの閉まる方向である前方斜め上方に延在しかつ前記回動軸部材（14A）と同軸の下向きの円筒周面であって前記ローラーが当接しつつ回動可能である傾斜面（24A）と、を備え、
使用時には、前記ローラー（11）を前記弾性部材（15B）の弾性力に抗して前記傾斜面（24B）に沿って下方に回動させ床面（60）に当接させると、ドア（50）の閉まろうとする力により前記ローラー（11）が前記傾斜面（24B）と前記床面（60）との間で圧縮力を受けることを特徴とする
ドアストッパー。
【請求項３】
ドア（50）の下端近傍に取り付けられるドアストッパー（1C）であって、
左右方向に延在する中心軸上に中心軸部材（12）を具備するローラー（11）と、
床面（60）から鉛直上方に離れた位置が前記ローラー（11）の初期位置となるように前記中心軸部材（12）を鉛直上方に付勢する弾性部材（15c）と、
前記ローラー（11）の前記中心軸部材（12）に巻き始め端が固定されて巻かれたゼンマイバネ（18）と、
前記ゼンマイバネ（18）の鉛直下方にて前記ゼンマイバネ（18）から引き出された巻き終わり端（18a）が固定される固定端部材（19）と、を備え、
使用時には、前記ローラー（11）を前記弾性部材（15C）の弾性力に抗して鉛直下方に移動させ床面（60）に当接させると、ドア（50）の閉まろうとする力により前記ローラー（11）が前記中心軸部材（12）を中心として転がろうとし前記ゼンマイバネ（18）が巻き戻ろうとすることにより前記中心軸部材（12）に対し下方への力を及ぼして前記ローラー（11）が床面を押圧することを特徴とする
ドアストッパー。
【請求項４】
ドア（50）の下端近傍に取り付けられるドアストッパー（1C）であって、
左右方向に延在する中心軸上に中心軸部材（12）を具備するローラー（11）と、
床面（60）から鉛直上方に離れた位置が前記ローラー（11）の初期位置となるように前記中心軸部材（12）を鉛直上方に付勢する弾性部材（15c）と、
前記ローラー（11）の前記中心軸部材（12）の周囲に形成されたピニオン（18A）と、
前記ピニオン（18A）と噛み合い鉛直方向に配置されたラック（19A）と、を備え、
使用時には、前記ローラー（11）を前記弾性部材（15C）の弾性力に抗して鉛直下方に移動させ床面（60）に当接させると、ドア（50）の閉まろうとする力により前記ローラー（11）が前記中心軸部材（12）を中心として転がろうとし、前記ピニオン（18A）が回動して前記ラック（19A）に沿って下方に移動しようとすることにより前記中心軸部材（12）に対し下方への力を及ぼして前記ローラー（11）が床面を押圧することを特徴とする
ドアストッパー。
【請求項５】
ドア（50）の下端近傍に取り付けられるドアストッパー（1E）であって、
ドア（50）の面に沿って固定されるベース板（21）と、
前記ベース板（21）の両側縁から前方に張り出した一対の側板（21e）と、
左右方向に延在する中心軸から偏心した位置に偏心軸部材（12A）を具備し該偏心軸部材（12A）の両端が前記一対の側板（21e）により支持されたローラー（11）と、
前記偏心軸部材（12A）を中心として上方に回動した最上位置が前記ローラーの初期位置となるように前記ローラー（11）を上方に回動する方向に弾性的に付勢する弾性部材（15D）と、を備え、
使用時には、前記ローラー（11）を前記弾性部材（15D）の弾性力に抗して前記偏心軸部材（12A）を中心として下方に回動させ床面（60）に当接させると、ドア（50）の閉まろうとする力により前記ローラー（11）が前記偏心軸部材（12A）を中心としてさらに下方に回動しようとして床面を押圧することを特徴とする
ドアストッパー。
【請求項６】
前記ローラー（11）を前記弾性部材（15D）の弾性力に抗して前記偏心軸部材（12A）を中心として下方に回動させるために、
前記ローラー（11）の周面上に一端を固定され、他端を操作により引くことができるように掛け渡された引き紐（41）を備えたことを特徴とする
請求項５に記載のドアストッパー。
【請求項７】
ドア（50）の下端近傍に取り付けられるドアストッパー（1F）であって、
ドア（50）の面に沿って固定されるベース板（21）と、
前記ベース板（21）の両側縁から前方に張り出した一対の側板（21e）と、
左右方向に延在する中心軸から偏心した位置に偏心軸部材（12A）を具備し該偏心軸部材（12A）の両端が前記一対の側板（21e）により支持されたローラー（11）と、
前記偏心軸部材（12A）を中心として上方に回動した最上位置が前記ローラーの初期位置となるように前記ローラー（11）を上方に回動する方向に弾性的に付勢する弾性部材と、を備え、
前記弾性部材は、両端が前記一対の側板（21e）により支持されたバネ支持部材（19B）に巻き始め端が固定されて巻かれたゼンマイバネ（15E）であって、前記ゼンマイバネ（15E）の巻き終わり端（15Ea）は引き出されて前記偏心軸部材（12A）に固定されており、
使用時には、前記ローラー（11）を前記ゼンマイバネ（15E）の巻き戻ろうとする弾性力に抗して前記偏心軸部材（12A）を中心として下方に回動させ床面（60）に当接させると、ドア（50）の閉まろうとする力により前記ローラー（11）が前記偏心軸部材（12A）を中心としてさらに下方に回動しようとして床面を押圧することを特徴とする
ドアストッパー。
【請求項８】
前記ローラー（11）は、弾性材からなることを特徴とする請求項１〜７のいずれかに記載のドアストッパー。
【考案の詳細な説明】
【技術分野】
【０００１】
本考案は、ドアに取り付けて用いるドアストッパーに関する。
【背景技術】
【０００２】
ドアに取り付けて用いるドアストッパーは周知であり、様々な機構が提示されている。最も一般的な機構は、１本の棒状体の基端をドアに対して回動自在に取り付け、不要時には基端から上方にドアに沿うように収納し、使用時には棒状体を回動させて先端を床面に当接させ、床面とドア面の間で適宜の角度で傾斜させて配置することにより、突っ張り棒のようにドアを支持する構造である（特許文献１、２）。
【先行技術文献】
【特許文献】
【０００３】
【特許文献１】登録実用新案第３０８９２００号公報
【特許文献２】登録実用新案第３１６９１２２号公報
【考案の概要】
【考案が解決しようとする課題】
【０００４】
従来の突っ張り棒タイプのドアストッパーは、ドアが閉まろうとして押す力を、ドアストッパーの先端が床面を押す力に変換して床面との摩擦力によりドアを制止するものである。摩擦力を最も効果的に発揮するには、ドアストッパーの高さや角度を適切に微調整することが必要である。微調整のための機構は、構造が複雑でありコスト高となる。
【０００５】
本考案は、高さの微調整が不要であり、どのような床面に対してもドアを確実に制止できるドアストッパーを提供することを目的とする。
【課題を解決するための手段】
【０００６】
上記課題を解決すべく、本考案は、以下の構成を有する。括弧内の数字は、後述する図面中の符号であり参考のために付するものである。
【０００７】
本考案の第１の態様は、ドア（50）の下端近傍に取り付けられるドアストッパー（1A）であって、
ドア（50）の面に沿って固定されるベース板（21）と、
前記ベース板（21）の下端からドアの閉まる方向である前方斜め上方に延在する下向きの平坦面である傾斜面（24A）と、
左右方向に延在する中心軸上に中心軸部材（12）を具備しかつ前記傾斜面（24A）に当接して移動可能なローラー（11）と、
前記傾斜面（24A）の上端が前記ローラー(11)の初期位置となるように前記中心軸部材（12）を略上方に弾性的に付勢するための弾性部材（15A）と、を備え、
使用時には、前記ローラー（11）を前記弾性部材（15A）の弾性力に抗して前記傾斜面（24A）に沿って下方に移動させ床面（60）に当接させると、ドア（50）の閉まろうとする力により前記ローラー（11）が前記傾斜面（24A）と前記床面（60）との間で圧縮力を受けることを特徴とする。
【０００８】
本考案の第２の態様は、ドア（50）の下端近傍に取り付けられるドアストッパー（1B）であって、
ドア（50）の面に沿って固定されるベース板（21）と、
左右方向に延在する中心軸上に中心軸部材（12）を具備するローラー（11）と、
前記ベース板（21）上に固定されかつ左右方向に延在する回動軸部材（14A）と、
前記回動軸部材（14A）と前記ローラー（11）の前記中心軸部材（12）とを連結しかつ該回動軸部材（14A）を中心として回動可能なリンク部材（13）と、
前記回動軸部材（14A）を中心として上方に回動した最上位置が前記ローラー（11）の初期位置となるように前記リンク部材（13）を上方に回動する方向に弾性的に付勢する弾性部材（15B）と、
前記ベース板（21）の下端からドアの閉まる方向である前方斜め上方に延在しかつ前記回動軸部材（14A）と同軸の下向きの円筒周面であって前記ローラーが当接しつつ回動可能である傾斜面（24A）と、を備え、
使用時には、前記ローラー（11）を前記弾性部材（15B）の弾性力に抗して前記傾斜面（24B）に沿って下方に回動させ床面（60）に当接させると、ドア（50）の閉まろうとする力により前記ローラー（11）が前記傾斜面（24B）と前記床面（60）との間で圧縮力を受けることを特徴とする
ドアストッパー。
【０００９】
本考案の第３の態様は、ドア（50）の下端近傍に取り付けられるドアストッパー（1C）であって、
左右方向に延在する中心軸上に中心軸部材（12）を具備するローラー（11）と、
床面（60）から鉛直上方に離れた位置が前記ローラー（11）の初期位置となるように前記中心軸部材（12）を鉛直上方に付勢する弾性部材（15c）と、
前記ローラー（11）の前記中心軸部材（12）に巻き始め端が固定されて巻かれたゼンマイバネ（18）と、
前記ゼンマイバネ（18）の鉛直下方にて前記ゼンマイバネ（18）から引き出された巻き終わり端（18a）が固定される固定端部材（19）と、を備え、
使用時には、前記ローラー（11）を前記弾性部材（15C）の弾性力に抗して鉛直下方に移動させ床面（60）に当接させると、ドア（50）の閉まろうとする力により前記ローラー（11）が前記中心軸部材（12）を中心として転がろうとし前記ゼンマイバネ（18）が巻き戻ろうとすることにより前記中心軸部材（12）に対し下方への力を及ぼして前記ローラー（11）が床面を押圧することを特徴とする。
【００１０】
本考案の第４の態様は、ドア（50）の下端近傍に取り付けられるドアストッパー（1C）であって、
左右方向に延在する中心軸上に中心軸部材（12）を具備するローラー（11）と、
床面（60）から鉛直上方に離れた位置が前記ローラー（11）の初期位置となるように前記中心軸部材（12）を鉛直上方に付勢する弾性部材（15c）と、
前記ローラー（11）の前記中心軸部材（12）の周囲に形成されたピニオン（18A）と、
前記ピニオン（18A）と噛み合い鉛直方向に配置されたラック（19A）と、を備え、
使用時には、前記ローラー（11）を前記弾性部材（15C）の弾性力に抗して鉛直下方に移動させ床面（60）に当接させると、ドア（50）の閉まろうとする力により前記ローラー（11）が前記中心軸部材（12）を中心として転がろうとし前記ピニオン（18A）が回動して前記ラック（19A）に沿って下方に移動しようとすることにより前記中心軸部材（12）に対し下方への力を及ぼして前記ローラー（11）が床面を押圧することを特徴とする。
【００１１】
本考案の第５の態様は、ドア（50）の下端近傍に取り付けられるドアストッパー（1E）であって、
ドア（50）の面に沿って固定されるベース板（21）と、
前記ベース板（21）の両側縁から前方に張り出した一対の側板（21e）と、
左右方向に延在する中心軸から偏心した位置に偏心軸部材（12A）を具備し該偏心軸部材（12A）の両端が前記一対の側板（21e）により支持されたローラー（11）と、
前記偏心軸部材（12A）を中心として上方に回動した最上位置が前記ローラーの初期位置となるように前記ローラー（11）を上方に回動する方向に弾性的に付勢する弾性部材（15D）と、を備え、
使用時には、前記ローラー（11）を前記弾性部材（15D）の弾性力に抗して前記偏心軸部材（12A）を中心として下方に回動させ床面（60）に当接させると、ドア（50）の閉まろうとする力により前記ローラー（11）が前記偏心軸部材（12A）を中心としてさらに下方に回動しようとして床面を押圧することを特徴とする。
【００１２】
上記第５の態様において、前記ローラー（11）を前記弾性部材（15D）の弾性力に抗して前記偏心軸部材（12A）を中心として下方に回動させるために、前記ローラー（11）の周面上に一端を固定され、他端を操作により引くことができるように掛け渡された引き紐（41）を備えたことを特徴とする。
【００１３】
本考案の第６の態様は、ドア（50）の下端近傍に取り付けられるドアストッパー（1F）であって、
ドア（50）の面に沿って固定されるベース板（21）と、
前記ベース板（21）の両側縁から前方に張り出した一対の側板（21e）と、
左右方向に延在する中心軸から偏心した位置に偏心軸部材（12A）を具備し該偏心軸部材（12A）の両端が前記一対の側板（21e）により支持されたローラー（11）と、
前記偏心軸部材（12A）を中心として上方に回動した最上位置が前記ローラーの初期位置となるように前記ローラー（11）を上方に回動する方向に弾性的に付勢する弾性部材と、を備え、
前記弾性部材は、両端が前記一対の側板（21e）により支持されたバネ支持部材（19B）に巻き始め端が固定されて巻かれたゼンマイバネ（15E）であって、前記ゼンマイバネ（15E）の巻き終わり端（15Ea）は引き出されて前記偏心軸部材（12A）に固定されており、
使用時には、前記ローラー（11）を前記ゼンマイバネ（15E）の巻き戻ろうとする弾性力に抗して前記偏心軸部材（12A）を中心として下方に回動させ床面（60）に当接させると、ドア（50）の閉まろうとする力により前記ローラー（11）が前記偏心軸部材（12A）を中心としてさらに下方に回動しようとして床面を押圧することを特徴とする。
【００１４】
上記第１〜第６のいずれかの態様において、前記ローラー（11）は、弾性材からなることを特徴とする。
【考案の効果】
【００１５】
本考案によるドアストッパーは、好適には弾性材で形成されたローラーを有し、ローラーは、床面から離れた初期位置の方へ常時付勢されている。使用時には、ローラーを初期位置に付勢する弾性力に抗してローラーを床面に当接するように操作する。操作によりローラーが床面に接したとき、ドアが閉まろうとする力を、ローラーが床面を押圧する力に変換する機構を備えている。ドアストッパーを解除するときは、ドアを開く方向に若干動かすのみで、ローラーは弾性復帰力により自動的に初期位置に戻る。
【図面の簡単な説明】
【００１６】
【図１】図１は、本考案のドアストッパーの第１の実施形態の一例を示す図であり、（ａ）は一部断面側面図、（ｂ）は正面図である。
【図２】図２（ａ）〜（ｃ）は、図１に示した第１の実施形態のドアストッパーの使用時の状態を説明する一部断面側面図である。
【図３】図３は、図１に示した第１の実施形態の変形形態であるドアストッパーを示す図であり、（ａ）は一部断面側面図、（ｂ）は正面図である。
【図４】図４は、本考案のドアストッパーの第２の実施形態の一例を示す図であり、（ａ）は一部断面側面図、（ｂ）は正面図である。
【図５】図５（ａ）〜（ｃ）は、図４に示した第２の実施形態のドアストッパーの使用時の状態を説明する一部断面側面図である。
【図６】図６は、本考案のドアストッパーの第３の実施形態の一例を示す図であり、（ａ）は側面図、（ｂ）は正面図である。
【図７】図７は、図６に示した第３の実施形態のドアストッパーの使用時の状態を説明する一部断面側面図であり、（ａ）は側面図、（ｂ）は正面図である。
【図８】図８は、本考案のドアストッパーの第４の実施形態の一例を示す図であり、（ａ）は側面図、（ｂ）は正面図である。
【図９】図９は、図８に示した第４の実施形態のドアストッパーの使用時の状態を説明する一部断面側面図であり、（ａ）は側面図、（ｂ）は正面図である。
【図１０】図１０は、本考案のドアストッパーの第５の実施形態の一例を概略的に示す図であり、（ａ）は一部断面側面図、（ｂ）は正面図である。
【図１１】図１１は、図１０に示した第５の実施形態のドアストッパーの使用時の状態を説明する一部断面側面図であり、（ａ）は側面図、（ｂ）は正面図である。
【図１２】図１２は、本考案のドアストッパーの第６の実施形態の一例を概略的に示す図であり、（ａ）は一部断面側面図、（ｂ）は正面図である。
【図１３】図１３は、図１２に示した第６の実施形態のドアストッパーの使用時の状態を説明する一部断面側面図であり、（ａ）は側面図、（ｂ）は正面図である。
【考案を実施するための形態】
【００１７】
以下、図面を参照しつつ本考案の実施形態を説明する。本考案のドアストッパーは、ドアに取り付けて使用するタイプであり、ドアの閉まる方向に向いた面における下端近傍かつドアの軸とは反対側の側縁の近傍に取り付けられるものである。
参照する各図面では、ドアの閉まる方向を前方とし、開く側を後方とし、ドアの幅方向を左右方向として説明する。
また、以下の各実施形態について示した図面及び具体的構成は例示であり、同じ原理を用いた多様な変形形態が可能である。
なお、各図面では、同一又は類似の構成要素については同じ又は類似の符号を付している。
【００１８】
（１）第１の実施形態
図１は、本考案のドアストッパーの第１の実施形態の一例を概略的に示す図であり、（ａ）は一部断面側面図、（ｂ）は正面図である。
【００１９】
図１（ａ）（ｂ）に示すドアストッパー１Ａは、ドア５０の片面に沿って磁石２３により着脱自在に固定されるベース板２１を備える。ベース板２１の直角に後方に曲がった下端２１ａは、ドア５０の下面に当接することにより、ベース板２１の上方移動を阻止する。磁石２３に替えて両面テープ等で取り付けてもよい。（これらの構成については、以下の各実施形態においても同様。）本形態では、主要部の大まかな高さ調節を可能とするために、ベース板２１の上に可動板２２を重ねており、可動板２２の正面上にドアストッパー１Ａの主要部が設けられている。
【００２０】
高さ調節機構は、可動板２２に穿設されたスリット２２ａと、ベース板２１の背面側からベース板２１及びスリット２２ａを貫通して正面に突出する雄ネジ２６と、可動板２２の正面側から雄ネジ２６に螺合する雌ネジ２７とから構成される。
【００２１】
ドアストッパー１Ａの主要部は、ローラー１１を備えている。ローラー１１の中心軸は左右方向に延在し、中心軸上にはベアリング（図示せず）を介して中心軸部材１２が設けられている。可動板２２には、その下端から前方斜め上方に延在する傾斜面２４Ａを具備する部材が設けられている。傾斜面２４Ａは下向きの平坦面である。ローラー１１は傾斜面２４Ａに対して当接しつつ移動可能である。ローラー１１は、硬質ゴム等の弾性材からなる（以下の各実施形態においても同様）。中心軸部材１２の両端は、傾斜面２４Ａの両縁よりも左右方向にそれぞれ突出している。
【００２２】
さらに中心軸部材１２の両端にはそれぞれ、リンク部材１３の一端が回動自在に連結されている。リンク部材１３の他端は、傾斜面２４Ａより上方にて左右方向に延在する連結部材１４の両端に回動自在に連結されている。連結部材１４の中央には引っ張りバネ１５Ａの一端が連結されている。引っ張りバネ１５Ａは後方斜め上方に延在し、その他端は、可動板１６の正面中央に位置する連結具１６に連結されている。
【００２３】
ローラー１１は、中心軸部材１２の両端を介して、引っ張りバネ１５Ａの弾性力により、常時、略上方に付勢されている。この略上方への付勢力により、ローラー１１は傾斜面２４Ａの上端に位置する。これが、ローラー１１の初期位置、すなわちドアストッパー１Ａの不使用時の位置である。本例では、ローラー１１の上方移動を制限するために、傾斜面２４Ａの上端から前方に水平に延在するストッパ部分２５が形成されている。傾斜面２４Ａの長さによっては、ストッパ部分２５が不要の場合もある。
【００２４】
図２（ａ）〜（ｃ）は、図１に示した第１の実施形態のドアストッパー１Ａの使用時の状態を説明する一部断面側面図である。
【００２５】
図２（ａ）では、ドア５０を止めたい位置まで開いた後、先ず、ローラー１１を、引っ張りバネ１５Ａの弾性力に抗して初期位置から傾斜面２４Ａに沿って下方に移動させる（矢印α参照）。例えば、足先などで軽く踏むように移動させてもよい。
【００２６】
そして図２（ｂ）に示すように、ローラー１１を床面６０に当接させる。このときのローラー１１と床面６０の接点を符号Ｐで示す。ローラー１１は、傾斜面２４Ａと床面６０に挟まれた状態となる。引っ張りバネ１５Ａは伸びた状態となる。
【００２７】
次に、図２（ｃ）に示すように、ドア５０が閉まろうとする力（白抜き矢印参照）により若干前方に移動すると、傾斜面２４Ａがローラー１１に対して押圧力を及ぼす。ローラー１１は、傾斜面２４Ａと床面６０との間に挟まれて圧縮力をうけ、若干弾性変形した状態となる。これにより、ローラー１１が弾性的に床面６０を押圧することとなり（矢印β参照）、床面６０との間に強い摩擦力が生じる。この結果、ドア５０が制止される。
【００２８】
なお、ドアストッパー１Ａを解除するときは、ドア５０を開く方向に若干動かすだけでローラー１１は解放され、引っ張りバネ１５Ａの復帰力によって図１（ａ）に示した初期位置に戻る。これによりドア５０が解放される。
【００２９】
ドアストッパー１Ａは、ローラー１１を下方に移動させ床面に当接させたとき、傾斜面２４Ａのどの位置にローラー１１が当接してもほぼ同様にドアを制止する効果が得られる。従って、ドア５０の高さ（床面６０からドア５０の下端までの長さ）がある程度異なっていても適用可能である。これにより、ドアストッパー１Ａの高さ調節は、可動板２２の上下方向のスライドによる大まかな調整のみでよく、微調整は不要となる。
【００３０】
よりシンプルな構成とする場合は、可動板２２による高さ調節機構を省き、ベース板２１に直接主要部を設けてもよい。その場合、ベース板２１から傾斜面２４Ａが延在し、引っ張りバネ１５Ａの他端もベース板２１に取り付けられる。なお、適用可能なドア高さの範囲は、ローラー１１の大きさと、傾斜面２４Ａの傾斜角度及び長さとを適宜設定することにより決定することができる。
【００３１】
図３は、図１に示した第１の実施形態の変形形態であるドアストッパー１Ａ１を概略的に示す図であり、（ａ）は一部断面側面図、（ｂ）は正面図である。
【００３２】
図３の変形形態は、高さ調節機構において図１の第１の実施形態と異なる。図３の高さ調節機構は、ラチェット機構を用いている。ベース板２１の正面に水平方向に延在するラチェット突起３３を上下方向に複数段形成している。一方、可動板２２の背面に対応するラチェット爪３４を形成している。可動板２２は、引っ張りバネ３１により常時上方に引っ張られている。可動板２２を上下方向に移動させるためのガイド３２が設けられている。ラチェット機構は周知であるので、解除機構等の詳細は省略する。ドアストッパーの大まかな高さを調節するための機構は、この例に限られず多様に考えられる。以下に述べるドアストッパーの他の実施形態においても、図１又は図３の高さ調節機構あるいは他の公知の高さ調節機構を適用することができる。
【００３３】
（２）第２の実施形態
図４は、本考案のドアストッパーの第２の実施形態の一例を概略的に示す図であり、（ａ）は一部断面側面図、（ｂ）は正面図である。
【００３４】
図４（ａ）（ｂ）に示すドアストッパー１Ｂは、大まかな高さ調節のために、ベース板２１の下端２１ａとドア５０の下面との間に適宜の厚さのスペーサ３６が挿入されている（以下の実施形態においても同様）。ベース板２１の正面上にドアストッパー１Ｂの主要部が設けられている。
【００３５】
ドアストッパー１Ｂの主要部は、ローラー１１を備えている。ローラー１１の中心軸は左右方向に延在し、中心軸上にはベアリング（図示せず）を介して中心軸部材１２が設けられている。ベース板２１の正面上には、左右方向に延在する回動軸部材１４Ａが固定されている。一対のリンク部材１３の各々の一端は、回動軸部材１４Ａの両端にそれぞれ連結されている。一方、一対のリンク部材１３の各々の他端は、ローラー１１の中心軸部材１２の両端にそれぞれ連結されている。従って、ローラー１１は、一対のリンク部材１３を介して回動軸部材１４Ａを中心として回動可能である。
【００３６】
回動軸部材１４Ａは、ねじりコイルバネ１５Ｂに挿嵌されている。ねじりコイルバネ１５Ｂの一端は、一対のリンク部材１３の間に指し渡された支持板１７に当接し、他端はベース板２１の正面に当接している。
【００３７】
ローラー１１は、ねじりコイルバネ１５Ｂの弾性力により、回動軸部材１４Ａを中心として、常時、上方に回動するように付勢されている。この付勢力により、ローラー１１は、上方に回動した最上位置にてベース板２１の正面に当接する。これが、ローラー１１の初期位置、すなわちドアストッパー１Ｂの不使用時の位置である。
【００３８】
ベース板２１には、その下端から前方斜め上方に延在する傾斜面２４Ｂを具備する部材が設けられている。傾斜面２４Ｂは、下向きの円筒周面の一部であり、この円筒周面は、回動軸部材１４Ａと同軸である。ローラー１１を下方に回動させたとき、ローラー１１は傾斜面２４Ｂに当接しつつ回動可能であるように配置されている。
【００３９】
図５（ａ）〜（ｃ）は、図４に示した第２の実施形態のドアストッパー１Ｂの使用時の状態を説明する一部断面側面図である。
【００４０】
図５（ａ）では、ドア５０を止めたい位置まで開いた後、先ず、ローラー１１を、ねじりコイルバネ１５Ｂの弾性力に抗して初期位置から下方に回動させる（矢印α参照）。例えば、足先などで押し下げるように回動させてもよい。
【００４１】
そして図５（ｂ）に示すように、ローラー１１を傾斜面２４Ｂに当接させつつ床面６０に当接するまで回動させる。このときのローラー１１と床面６０の接点を符号Ｐで示す。ローラー１１は、傾斜面２４Ｂと床面６０に挟まれた状態となる。ねじりコイルバネ１５Ｂは、コイル軸周りに捻りモーメントを受け、弾性変形する。
【００４２】
次に、図５（ｃ）に示すように、ドア５０の閉まろうとする力（白抜き矢印参照）により若干前方に移動すると、傾斜面２４Ｂがローラー１１に対して押圧力を及ぼす。ローラー１１は、傾斜面２４Ｂと床面６０との間に挟まれて圧縮力をうけ、若干弾性変形した状態となる。これにより、ローラー１１が弾性的に床面６０を押圧することとなり（矢印β参照）、床面６０との間に強い摩擦力が生じる。この結果、ドア５０が制止される。
【００４３】
なお、ドアストッパー１Ｂを解除するときは、ドア５０を開く方向に若干動かすだけでローラー１１は解放され、ねじりコイルバネ１５Ｂの復帰力によって図４（ａ）に示した初期位置に戻る。これによりドア５０が解放される。
【００４４】
ドアストッパー１Ｂも、ローラー１１を下方に回動させ床面に当接させたとき、傾斜面２４Ｂのどの位置にローラー１１が当接してもほぼ同様にドアを制止する効果が得られる。よって、ドア５０の高さがある程度異なっていても適用可能となる。
【００４５】
（３）第３の実施形態
図６は、本考案のドアストッパーの第３の実施形態の一例を概略的に示す図であり、（ａ）は側面図、（ｂ）は正面図である。
【００４６】
図６（ａ）（ｂ）に示すドアストッパー１Ｃは、ドア５０の片面に磁石２３により取り付けられるベース板２１を備える。ベース板２１の正面上にドアストッパー１Ｂの主要部が設けられている。
【００４７】
ドアストッパー１Ｃの主要部は、ベース板２１の前方に組み立てられたフレームに取り付けられる。フレームは、ベース板２１の上端から前方に張り出した天板２１ｂと、ベース板２１の下端の両側から前方に張り出した一対の下枠部材２１ｄと、天板２１ｂの両側から鉛直下方に下枠部材２１ｄまで延在する左右１対ずつ設けられた４本のガイドフレーム２１ｃとを備えている（図６ではガイドフレーム２１ｃの中間部分を省略して示している）。
【００４８】
主要部は、ローラー１１を備えている。ローラー１１の中心軸は左右方向に延在し、中心軸上にはベアリング（図示せず）を介して中心軸部材１２が設けられている。さらに中心軸部材１２の両端にはそれぞれ、リンク部材１３の一端が連結されている。リンク部材１３の他端は、ローラー１１の上方にて左右方向に延在する連結部材１４の両端に連結されている。連結部材１４の中央には、引っ張りバネ１５Ｃの下端が連結されている。引っ張りバネ１５Ｃの上端は、天板２１ｂの下面の取付具に連結されている。
【００４９】
中左右１対ずつのガイドフレーム２１ｃは、中心軸部材１２の左右各端の前後にそれぞれ配置されている。中心軸部材１２は、左右の一対のガイドフレーム２１ｃに案内されて上下方向に可動である。すなわちローラー１１は上下方向に可動であるが、引っ張りバネ１５Ｃの弾性力により、常時、上方に付勢されている。
【００５０】
さらに、中心軸部材１２の一端には、ゼンマイバネ１８が巻かれている。ゼンマイバネ１８の巻き始め端は中心軸部材１２に固定されており、中心軸部材１２及びローラー１１はゼンマイバネ１８とともに回動する。ゼンマイバネ１８の巻き終わり端１８ａは、鉛直下方に引き出され、下枠部材２１ｄから水平に延在する固定端部材１９に固定されている。
【００５１】
ゼンマイバネ１８は、引き出された部分を巻き戻そうとする弾性力を有する。ゼンマイバネ１８の巻き終わり端１８ａは固定端部材１９に固定されているので、この弾性力は、中心軸部材１２すなわちローラー１１を回動させて下方移動させる力として働く。但し、通常、ローラー１１は、引っ張りバネ１５Ｃにより床面６０から鉛直上方に離れた位置にある。これがローラー1１１の初期位置、すなわちドアストッパー１Ｃの不使用時の位置である。
【００５２】
図７は、図６に示した第３の実施形態のドアストッパー１Ｃの使用時の状態を説明する一部断面側面図であり、（ａ）は側面図、（ｂ）は正面図である。
【００５３】
図７（ａ）の側面図に示すように、ドア５０を止めたい位置まで開いた後、先ず、ローラー１１を、引っ張りバネ１５Ｃの弾性力に抗して初期位置から下方に移動させる（矢印α参照）。例えば、足先などで押し下げてもよい。ローラー１１が点Ｐで床面６０に接すると、ローラー１１と床面６０との間で摩擦力が生じる。
【００５４】
このとき、ドア５０の閉まろうとする力（白抜き矢印参照）は、ローラー１１を、中心軸部材１２を中心として前方に転がそうとする力として働く（矢印β参照）。この力は、ゼンマイバネ１８を巻き戻す力として作用し、ゼンマイバネ１８を巻き戻す力は、ローラー１１の中心軸部材１２を下方に引き下げる力（矢印γ参照）として働く。この場合、ドア５０の閉まろうとする力は、ローラー１１の直径と中心軸部材１２の直径の比により増幅されて、中心軸部材１２に対する下方への力として印加されることとなる。これにより、ローラー１１は、点Ｐにて床面を強力に押圧する。これにより、ドア５０は制止する。
【００５５】
なお、ドアストッパー１Ｃを解除するときは、ドア５０を開く方向に若干動かすだけでローラー１１は解放され、引っ張りバネ１５Ｃの復帰力によって図６（ａ）に示した初期位置に戻る。これによりドア５０が解放される。
【００５６】
（４）第４の実施形態
図８は、本考案のドアストッパーの第４の実施形態の一例を示す図であり、（ａ）は側面図、（ｂ）は正面図である。第４の実施形態は、原理的には第３の実施形態と同じであり、第３の実施形態の変形形態ともいえる。
【００５７】
ドアストッパー１Ｄにおいて、第３の実施形態のドアストッパー１Ｃと異なる点は、図６に示した中心軸部材１２の一端のゼンマイバネ１８とその巻き終わり端１８ａを固定した固定端部材１９に替えて、図８では、中心軸部材１２の一端の周囲に形成されたピニオン１８Ａと、ピニオン１８Ａが噛み合うラック１９Ａとを備えている点である。ラック１９Ａは、天板２１ｂから下枠部材２１ｄの間に鉛直方向に配置されている。他の構成については、図６に示したドアストッパー１Ｃと同じである。
【００５８】
図９は、図８に示した第４の実施形態のドアストッパー１Ｄの使用時の状態を説明する一部断面側面図であり、（ａ）は側面図、（ｂ）は正面図である。
【００５９】
図９（ａ）の側面図に示すように、ドア５０を止めたい位置まで開いた後、先ず、ローラー１１を、引っ張りバネ１５Ｃの弾性力に抗して初期位置から下方に移動させる（矢印α参照）。例えば、足先などで押し下げてもよい。ローラー１１が点Ｐで床面６０に接すると、ローラー１１と床面６０との間で摩擦力が生じる。
【００６０】
このとき、ドア５０の閉まろうとする力（白抜き矢印参照）は、ローラー１１を、中心軸部材１２を中心として前方に転がそうとする力として働く（矢印β参照）。この力は、ピニオン１８Ａを前方に回動させる力として作用し、その結果、ピニオン１８Ａをラック１９Ａに沿って下方に移動させる力すなわちローラー１１の中心軸部材１２を下方に引き下げる力（矢印γ参照）として働く。この場合、ドア５０の閉まろうとする力は、ローラー１１の直径と中心軸部材１２の直径の比により増幅されて、中心軸部材１２に対する下方への力として印加されることとなる。これにより、ローラー１１は、点Ｐにて床面を強力に押圧する。これにより、ドア５０は制止する。
【００６１】
なお、ドアストッパー１Ｄを解除するときは、ドア５０を開く方向に若干動かすだけでローラー１１は解放され、引っ張りバネ１５Ｃの復帰力によって図８（ａ）に示した初期位置に戻る。これによりドア５０が解放される。
【００６２】
（５）第５の実施形態
図１０は、本考案のドアストッパーの第５の実施形態の一例を概略的に示す図であり、（ａ）は一部断面側面図、（ｂ）は正面図である。
【００６３】
ドアストッパー１Ｅの主要部は、ベース板２１の両側縁から前方に張り出した一対の側板２１ｅの間に取り付けられる。主要部は、ローラー１１を備えている。ローラー１１の中心軸は左右方向に延在し、中心軸から偏心した位置にベアリング（図示せず）を介して偏心軸部材１２Ａが設けられている。偏心軸部材１２Ａの両端はそれぞれ、側板２１ｅにより支持されている。
【００６４】
偏心軸部材１２Ａの一端は、ローラー１１と側板２１ｅの間に配置されたねじりコイルバネ１５Ｄに挿嵌されている。ねじりコイルバネ１５Ｄの一端は、ローラー１１の一側面に形成した切り欠き部１１ａ内の壁に当接し、他端は、側板２１ｅの内側に垂直に取り付けた支持板２１ｆの正面に当接している。ねじりコイルバネ１５Ｄの弾性力により、ローラー１１は、常時、偏心軸部材１２Ａを中心として上方に回動した最上位置（床面６０から離れた位置）にあるように付勢されている。この最上位置が、ローラー１１の初期位置、すなわちドアストッパー１Ｅの不使用時の位置である。
【００６５】
さらに、ローラー１１の周面上には、幅方向の中央に１本の溝１１ｂが穿設されている。引き紐４１の一端４１ａは、溝１１ｂ内の一点に固定されている。引き紐４１は、溝１１ｂに沿ってローラー１１の下面側に掛け渡され、さらに上方に延在してガイド部材４２内に入って上方に延び、滑車４２ａを介して下方に方向転換し、他端４１ｂが操作部材４２ｂに連結されている。
【００６６】
ガイド部材４２ａは、ベース板２１の前面に取り付けられた角筒状ケースであり、前面に鉛直方向のスリット４２ｃを形成されている。操作部材４２ｂは、スリット４２ｃに取り付けられており、操作によりスリット４２ｃに沿って上下動可能である。
【００６７】
引き紐４１の操作部材４２ｂを下方に移動させると、ローラー１１を、偏心軸部材１２Ａを中心として下方に回動させることができる。
【００６８】
図１１は、図１０に示した第５の実施形態のドアストッパー１Ｅの使用時の状態を説明する一部断面側面図であり、（ａ）は側面図、（ｂ）は正面図である。
【００６９】
図１１（ａ）の側面図に示すように、ドア５０を止めたい位置まで開いた後、先ず、操作部材４２ｃを下方に押し下げる。例えば、足先などで押し下げてもよい。これにより、引き紐４１がローラー１１を引っ張り、ローラー１１は、ねじりコイルバネ１５Ｄの弾性力に抗して偏心軸部材１２Ａを中心に下方に、すなわち床面６０の方に回動する（矢印α参照）。例えば初期位置から約９０度回動し、ローラー１１が点Ｐで床面６０に接すると、ローラー１１と床面６０との間で摩擦力が生じる。ねじりコイルバネ１５Ｄは弾性変形する。
【００７０】
このとき、ドア５０の閉まろうとする力（白抜き矢印参照）は、ローラー１１を前方に転がそうとする力として働く。これによりローラー１１は、偏心軸部材１２Ａを中心としてさらに下方に回動しようとするが、床面６０と当接していることにより実際には下方に回動できず、これが床面６０に対する押圧力として働く（矢印β参照）。これにより、ドア５０は制止する。この実施形態では、ローラー１１の回動軸が中心軸ではなく偏心軸であることにより、ドアが閉まろうとする力が、床面を押圧する力に変換されることになる。
【００７１】
なお、ドアストッパー１Ｅを解除するときは、ドア５０を開く方向に若干動かすだけでねじりコイルバネ１５Ｄの復帰力によってローラー１１は解放され、図１０（ａ）に示した初期位置に戻る。これによりドア５０が解放される。
【００７２】
ここで、ローラー１１をねじりコイルバネ１５Ｄの弾性力に抗して下方に回動させる機構は、図示した引き紐４１を用いた機構に限られず多様に考えられる。例えば、引き紐４１を設けずに、ローラー１１を足先などで直接回動させて床面６０に当接させてもよい。
【００７３】
（６）第６の実施形態
図１２は、本考案のドアストッパーの第６の実施形態の一例を概略的に示す図であり、（ａ）は一部断面側面図、（ｂ）は正面図である。第６の実施形態は、原理的には第４の実施形態と同じであり、第４の実施形態の変形形態ともいえる。
【００７４】
ドアストッパー１Ｆの主要部は、ベース板２１の両側縁から前方に張り出した一対の側板２１ｅの間に取り付けられる。主要部は、ローラー１１を備えている。ローラー１１の中心軸は左右方向に延在し、中心軸から偏心した位置にベアリング（図示せず）を介して偏心軸部材１２Ａが設けられている。偏心軸部材１２Ａの両端はそれぞれ、側板２１ｅにより支持されている。
【００７５】
ローラー１１の上方には、左右方向に延在し両端が側板２１ｅにより回動自在に支持されたバネ支持部材１９Ｂが設けられている。バネ支持部材１９Ｂはゼンマイバネ１５Ｅに挿嵌され、ゼンマイバネ１５Ｅの巻き始め端が固定されている。ゼンマイバネ１５Ｅの巻き終わり端１５Ｅａは、下方に引き出され、偏心軸部材１２Ａに固定されている。
【００７６】
ゼンマイバネ１５Ｅは、引き出された部分を元の状態に巻き戻そうとする弾性力を有する。ゼンマイバネ１５Ｅの巻き終わり端１５Ｅａは偏心軸部材１２Ａに固定されているので、偏心軸部材１２Ａすなわちローラー１１は、床面６０から離れる方向に、上方に回動するように付勢される。これによりローラー１１は、通常、床面６０から離れ上方に回動した最上位置にある。これが、ローラー1１の初期位置、すなわちドアストッパー１Ｆの不使用時の位置である。
【００７７】
図１３は、図１２に示した第６の実施形態のドアストッパー１Ｆの使用時の状態を説明する一部断面側面図であり、（ａ）は側面図、（ｂ）は正面図である。
【００７８】
図１３（ａ）の側面図に示すように、ドア５０を止めたい位置まで開いた後、先ず、ローラー１１を、ゼンマイバネ１５Ｅの弾性力に抗して偏心軸部材１２Ａを中心に下方に、すなわち床面６０の方に回動させる（矢印α参照）。例えば、足先などで回動させてもよい。初期位置から例えば約９０度回動し、ローラー１１が点Ｐで床面６０に接すると、ローラー１１と床面６０との間で摩擦力が生じる。ゼンマイバネ１５Ｅは、偏心軸部材１２Ａが回動した分だけ引き出される。
【００７９】
このとき、ドア５０の閉まろうとする力（白抜き矢印参照）は、ローラー１１を前方に転がそうとする力として働く。これによりローラー１１は、偏心軸部材１２Ａを中心としてさらに下方に回動しようとするが、床面６０と当接していることにより実際には下方に回動できず、これが床面６０に対する押圧力として働く（矢印β参照）。これにより、ドア５０は制止する。この実施形態では、ローラー１１の回動軸が中心軸ではなく偏心軸であることにより、ドアが閉まろうとする力が、床面を押圧する力に変換されることになる。
【００８０】
なお、ドアストッパー１Ｆを解除するときは、ドア５０を開く方向に若干動かすだけでゼンマイバネ１５Ｅの巻き戻す復帰力によってローラー１１は解放され、図１０（ａ）に示した初期位置に戻る。これによりドア５０が解放される。
【符号の説明】
【００８１】
１Ａ、１Ａ１、１Ｂ、１Ｃ、１Ｄ、１Ｅ、１Ｆ  ドアストッパー
１１  ローラー
１２  中心軸部材
１２Ａ  偏心軸部材
１３  リンク部材
１４  連結部材
１４Ａ  回動軸部材
１５Ａ、１５Ｃ  引っ張りバネ
１５Ｂ、１５Ｄ  ねじりコイルバネ
１５Ｅ  ゼンマイバネ
１８  ゼンマイバネ
１８Ａ  ピニオン
１９  固定端部材
１９Ａ  ラック
１９Ｂ  バネ支持部材
５０  ドア
６０  床面
【図１】
0003194940.tif 000003
【図２】
0003194940.tif 000004
【図３】
0003194940.tif 000005
【図４】
0003194940.tif 000006
【図５】
0003194940.tif 000007
【図６】
0003194940.tif 000008
【図７】
0003194940.tif 000009
【図８】
0003194940.tif 000010
【図９】
0003194940.tif 000011
【図１０】
0003194940.tif 000012
【図１１】
0003194940.tif 000013
【図１２】
0003194940.tif 000014
【図１３】
0003194940.tif 000015